(57)【要約】【課題】ローマ字に不慣れな人も容易にローマ字入力を行うことができるパソコン用キーボードおよびローマ字入力用カバーおよびローマ字入力用シートを提供すること。【解決手段】キーボードのキーの余白部分、キーボードの文字キー群を覆うカバーまたはキーボードの文字キーに対応するシートにおいて、日本語の五十音の母音および各行に対応するアルファベットの文字が表示されたキーに、前記母音および各行を表示したことを特徴としている。【選択図】　　　　図４
2004021292.tif 000002
【特許請求の範囲】
【請求項１】
日本語の五十音の母音および各行に対応するアルファベットの文字が表示されているキーに、前記母音および各行を表示したことを特徴とするローマ字入力用キーボード。
【請求項２】
パソコンのキーボードの文字キーを覆うカバーであって、日本語の五十音の母音および各行に対応するアルファベットの文字が表示されているキーに対応した箇所に、前記母音および各行を表示したことを特徴とするローマ字入力用カバー。
【請求項３】
前記日本語の母音および各行を表示し、前記キーボードの前記アルファベットの文字が表示されているキーに貼着させるようにしたことを特徴とするローマ字入力用シート。
【請求項４】
透明な材料によって形成したことを特徴とする請求項２に記載のローマ字入力用カバーまたは請求項３に記載のローマ字入力用シート。
【請求項５】
アルファベットの「Ａ」，「Ｉ」，「Ｕ」，「Ｅ」，「Ｏ」，「Ｋ」，「Ｓ」，「Ｔ」，「Ｎ」，「Ｈ」，「Ｍ」，「Ｙ」，「Ｗ」が表示されているキーに、日本語の五十音における「ア」，「イ」，「ウ」，「エ」，「オ」，「カ行」，「サ行」，「タ行」，「ナ行」，「ハ行」，「マ行」，「ヤ行」，「ラ行」，「ワ行」を表示させることを特徴とする請求項１に記載のローマ字入力用キーボードまたは請求項２に記載のローマ字入力用カバーまたは請求項３に記載のローマ字入力用シート。
【請求項６】
さらに、アルファベットの「Ｐ」，「Ｄ」，「Ｆ」，「Ｇ」，「Ｊ」，「Ｚ」，「Ｂ」が表示されているキーに、日本語の五十音における「パ行」，「ダ行」，「ファ行」，「ガ行」，「ジャ行」，「ザ行」，「バ行」を表示させることを特徴とする請求項５に記載のローマ字入力用キーボードまたはローマ字入力用カバーまたはローマ字入力用シート。
【発明の詳細な説明】
【０００１】
【発明の属する技術分野】
本発明は、ローマ字入力用キーボードおよびローマ字入力用カバーおよびローマ字入力用シートに関するものである。
【０００２】
【従来の技術】
パソコン用キーボードの文字入力のキーでは、アルファベットと日本語の五十音記号等が表示されている。このようなキーボードでローマ字入力を行う場合に、特にお年よりのローマ字に不慣れな人は、入力操作に戸惑うことが多い
。
【０００３】
【発明が解決しようとする課題】
本発明は、上記従来の課題に鑑みてなされたもので、その目的とするところは、ローマ字に不慣れな人も容易にローマ字入力を行うことができるパソコン用キーボードおよびローマ字入力用カバーおよびローマ字入力用シートを提供することにある。
【０００４】
【課題を解決するための手段】
上記目的を達成するために、本発明のローマ字入力用キーボードでは、日本語の五十音の母音および各行に対応するアルファベットの文字が表示されているキーに、前記母音および各行を表示したことを特徴としている（請求項１）。
一般的なキーボードの文字入力用キーでは、左上部にアルファベットが表示され、右下部にひらかなが表示されており、またそれらキーのいくつかには、右上部に記号等が表示されているものがあるものの、左下部は空いている。
そこで、本発明のキーボードでは、その空白部分に日本語の母音および各行を表示している。例えば、「Ａ」が表示されているキーに「ア」を付記し、「Ｉ」が表示されているキーに「イ」を付記し、「Ｋ」が表示されているキーに「カ行」を付記し、「Ｓ」が表示されているキーに「サ行」を付記する。
このようにすれば、例えば、「か」を入力する場合には、「カ行」と表示されているキーを操作し、続いて「ア」が表示されているキーを操作すればよく、アルファベットを全く意識することなくローマ字入力を行うことができる。
【０００５】
また、本発明のローマ字入力用カバーは、パソコンのキーボードの文字キーを覆うカバーであって、日本語の五十音の母音および各行に対応するアルファベットの文字が表示されているキーに対応した箇所に、前記母音および各行を表示したことを特徴としている（請求項２）。
例えば、キーボード上の「Ａ」が表示されているキーと対応するカバーの部分に「ア」を表示し、キーボード上の「Ｉ」が表示されているキーと対応するカバーの部分に「イ」を表示し、キーボード上の「Ｋ」が表示されているキーと対応するカバーの部分に「カ行」を表示し、キーボード上の「Ｓ」が表示されているキーと対応するカバーの部分に「サ行」を表示する。なお、表示は、カバーに直接印刷してもよく、シート等を貼り付けてもよく、その形態は問わない。
このようにすれば、例えば、「か」を入力する場合には、「カ行」と表示されているカバー上のキーを操作し、続いて「ア」が表示されているカバー上のキーを操作すればよく、アルファベットを全く意識することなくローマ字入力を行うことができる。
このカバーを透明な材料によって形成すれば（請求項４）、キーボード上のキーに表示されている文字もカバーを通して認識できるので、カバーをキーボードからはずした場合にも、違和感は生じない。
【０００６】
また、本発明のローマ字入力用シートでは、前記日本語の母音および各行を表示し、前記キーボードの前記アルファベットの文字を表示したキーに貼着させるようにしたことを特徴としている（請求項３）。
この発明のローマ字入力用シートは、キーボードのキーに対応した大きさのシートで、例えば、シートに「ア」，「イ」，「カ行」，「サ行」等が表示されている。そして、それらのシートをキーボード上の「Ａ」，「Ｉ」，「Ｋ」，「Ｓ」が表示されているキーに貼着する。
このようにすれば、例えば、「か」を入力する場合には、「カ行」と表示されているシートが貼着されているキーを操作し、続いて「ア」が表示されているシートが貼着されているキーを操作すればよく、アルファベットを全く意識することなくローマ字入力を行うことができる。
このカバーを透明な材料によって形成すれば（請求項４）、キーボード上のキーに表示されている文字もカバーを通して認識できるので、カバーをキーボードからはずした場合にも、違和感は生じない。
【０００７】
上記キーボードの余白部分，上記カバーまたは上記シートに表示される文字としては、キーボード上のアルファベットの「Ａ」，「Ｉ」，「Ｕ」，「Ｅ」，「Ｏ」，「Ｋ」，「Ｓ」，「Ｔ」，「Ｎ」，「Ｈ」，「Ｍ」，「Ｙ」，「Ｗ」を表示したキーに対応させて、日本語の五十音における「ア」，「イ」，「ウ」，「エ」，「オ」，「カ行」，「サ行」，「タ行」，「ナ行」，「ハ行」，「マ行」，「ヤ行」，「ラ行」，「ワ行」が挙げられ（請求項５）、さらには、キーボード上のアルファベットの「Ｐ」，「Ｄ」，「Ｆ」，「Ｇ」，「Ｊ」，「Ｚ」，「Ｂ」を表示したキーに対応させて、日本語の五十音における「パ行」，「ダ行」，「ファ行」，「ガ行」，「ジャ行」，「ザ行」，「バ行」が挙げられる（請求項６）。
【０００８】
【発明の実施の形態】
図１は本発明に係るローマ字入力用カバーとパソコン用キーボードを示し、図２はそのキーボードの文字キー群を示し、図３はその文字キーに被せる本発明に係るローマ字入力用カバーの一部を示し、図４はそのカバーをパソコン用キーボードに被せた様態を示している。
【０００９】
このローマ字入力用カバー（以下、カバーという。）１０は、透明で柔軟な合成樹脂等によって形成され、図１に示したように、キーボード１の文字キー群を覆う大きさを有する。このカバー１０は、キーボード１の各キー１ａを覆うように形成されたキー部１０ａを有している。このカバー１０は、該カバーをキーボード１の文字キー群に被せた状態で、各キー部１０ａがキーボード１の各キー１ａの上部をそれぞれ覆い、カバー１０を介してキーボード１のキー１ａが操作される。
【００１０】
そして、このカバー１０の各キー部１０ａには、日本語の五十音の母音および各行に対応するアルファベットの文字が表示されたキー１ａに対応した箇所に、母音および各行が表示されている。
例えば、図２に示したように、キーボード１上のアルファベットの「Ａ」，「Ｉ」，「Ｕ」，「Ｅ」，「Ｏ」，「Ｋ」，「Ｓ」，「Ｔ」，「Ｎ」，「Ｈ」，「Ｍ」，「Ｙ」，「Ｗ」が表示されているキー１ａに対応するカバー１０上のキー部１０ａには、図３に示したように、日本語の五十音における「ア」，「イ」，「ウ」，「エ」，「オ」，「カ行」，「サ行」，「タ行」，「ナ行」，「ハ行」，「マ行」，「ヤ行」，「ラ行」，「ワ行」が表示され、さらには、図２に示したように、キーボード１上のアルファベットの「Ｐ」，「Ｄ」，「Ｆ」，「Ｇ」，「Ｊ」，「Ｚ」，「Ｂ」が表示されているキー１ａに対応するカバー１０上のキー部１０ａには、図３に示したように、日本語の五十音における「パ行」，「ダ行」，「ファ行」，「ガ行」，「ジャ行」，「ザ行」，「バ行」が表示される。
【００１１】
したがって、このカバー１０をキーボード１に被せた様態では、図４に示した状態になる。そして、操作者は、五十音の母音を入力する場合には、カバー１０上に「ア」，「イ」，「ウ」，「エ」，「オ」が表示されているキー部１０ａから該当するキー部を選択して操作すればよい。また子音を入力する場合には、カバー１０上に「カ行」，「サ行」，「タ行」，「ナ行」，「ハ行」，「マ行」，「ヤ行」，「ラ行」，「ワ行」が表示されているキー部１０ａから該当するキー部を選択して操作し、次いで「ア」，「イ」，「ウ」，「エ」，「オ」が表示されているキー部１０ａから該当するキー部を選択して操作すればよい。例えば、「か」を入力する場合には、「カ行」と表示されているキー部１０ａを操作し、続いて「ア」が表示されているキー部１０ａを操作すればよい。
【００１２】
なお、上記実施の形態では、カバー１０の各キー部１０ａに、日本語の五十音の母音および各行を表示させているが、それらをキーボード１の各キー１ａの空白部に直接表示させてもよい。
また、上記表示する文字は、パソコンのキーに予め表示されているアルファベット等と区別するために、例えば赤色等の他の色で表示することが好ましい。
【００１３】
また、本発明では、図５に示したように、日本語の母音および各行をシート２０に表示し、該シートをキーボード１の対応するアルファベットの文字が表示されているキー１ａに貼着させるようにしてもよい。この場合に、シート２０の裏面には、粘着剤２１を塗布したり、シートを自己粘着性を有する材料で形成することが好ましい。
【００１４】
【発明の効果】
上記したように、本発明に係るローマ字入力用キーボードおよびローマ字入力用カバーおよびローマ字入力用シートによれば、操作者は、五十音の母音を入力する場合には、「ア」，「イ」，「ウ」，「エ」，「オ」が表示されているキーボードのキー，カバーのキー部またはシートから該当するものを選択して操作すればよく、また子音を入力する場合には、「カ行」，「サ行」，「タ行」，「ナ行」，「ハ行」，「マ行」，「ヤ行」，「ラ行」，「ワ行」が表示されているキーボードのキー，カバーのキー部またはシートから該当するものを選択して操作し、次いで「ア」，「イ」，「ウ」，「エ」，「オ」が表示されているキーボードのキー，カバーのキー部またはシートから該当するものを選択して操作すればよい。
したがって、この発明によれば、アルファベットを全く意識することなくローマ字入力を行うことができる。
【図面の簡単な説明】
【図１】本発明に係るローマ字入力用カバーとパソコン用キーボードを示した斜視図である。
【図２】図１に示したキーボードの文字キー群を示した平面図である。
【図３】本発明に係るローマ字入力用カバーの一部を示した平面図である。、
【図４】図３に示したカバーを図２に示したパソコン用キーボードに被せた様態を示した平面図である。
【図５】本発明に係るローマ字入力用シートを示した斜視図である。
【符号の説明】
１　　　　キーボード
１ａ　　　キー
１０　　　カバー
１０ａ　　キー部
２０　　　シート
２１　　　接着剤
【図１】
2004021292.tif 000003
【図２】
2004021292.tif 000004
【図３】
2004021292.tif 000005
【図４】
2004021292.tif 000006
【図５】
2004021292.tif 000007